(57)【特許請求の範囲】
【請求項１】
ノックダウン方式によるカーテンウォールの横材の方立支持構造であって、
前記方立と連結されるブラケットに、室外側へ突出するフック部を形成するとともに、
前記横材の室内側壁に、前記フック部と相対的に挿入係止関係を示す係止孔部を形成し、
前記フック部と前記係止孔部とは、前記ブラケットが方立と連結された状態で、前記横材を持ち込み、前記フック部が前記係止孔部内に相対的に挿入され、横材を水平方向に移動することにより、係止が行われる関係に構成したことを特徴とするカーテンウォールにおける横材の方立支持構造。
【請求項２】
前記フック部は、室外側へ突出する部分と水平方向の延びる部分を有するフック形状をなしている請求項１記載のカーテンウォールにおける横材の方立支持構造。
【請求項３】
ノックダウン方式によるカーテンウォールの横材の方立支持構造であって、
隣接する方立にそれぞれ連結されるブラケットは、室外側へ突出し水平方向の向いた鉤部を有するフック状のフック部が、その鉤部が同方向に向いてそれぞれ有し、
前記横材の室内側壁に、前記フック部と相対的に挿入係止関係を示す係止孔部をそれぞれ形成し、
前記フック部と前記係止孔とは、前記ブラケットが方立とそれぞれ連結された状態で、前記横材を持ち込み、前記フック部が前記係止孔部内に相対的に挿入され、横材を前記鉤部の向きと反対の水平方向に移動することにより、係止が行われる関係に構成したことを特徴とするカーテンウォールにおける横材の方立支持構造。
【請求項４】
横材の室内側壁に、係止孔部の上下の側壁および裏面壁を有し、裏面側に突出する保持溝が形成され、この保持溝は、フック部の先端部の上下面を前記側壁により及びフック部の先端部の室外面を前記裏面壁により包んで保持するものである請求項１〜３のいずれか１項に記載のカーテンウォールにおける横材の方立支持構造。
【発明の詳細な説明】
【０００１】
【発明の属する技術分野】
本発明は、ノックダウン方式によるカーテンウォールの横材の方立支持構造に関する。
【０００２】
【従来の技術】
カーテンウォールにおいては、一般に、図１に示すように、水平方向に所定距離離間して立設された方立１０１，１０１…における、隣接する方立１０１，１０１に跨って横材１０２を配置し、上下に隣接する横材１０２、１０２間にパネルＰを保持するものである。
【０００３】
従来、横材１０２の方立１０１による保持には、ノックダウン方式によるカーテンウォールにおいては、図２及び図３に詳しく示すように、方立側片１１１と横材側片１１２とから構成されるＬ字状のブラケット１１０を用いて、それぞれボルト締結によるものとしていた。すなわち、まず、方立１０１の両側面１０１ａ，１０１ａに、それぞれブラケット１１０，１１０の方立側片１１１，１１１を当接させ、方立１０１及び方立側片１１１，１１１に、ボルト１１３を貫通させ、ナット１１５を締め、ブラケット１１０，１１０を方立１０１に固定する。次いで、横材１０２を持ち込み、その室内側壁１０２Ａを、ブラケット１１０の横材側片１１２に当接させる。このとき、先に頭部を保持溝１１７に挿入したボルト１１４の足部を横材側片１１２の挿通孔１１２ａに挿通し、ナット１１６により固定する。この作業を隣接する方立１０１，１０１について行い、横材１０２を、隣接する方立１０１，１０１に跨った状態で取り付けていた。
【０００４】
【発明が解決しようとする課題】
しかしながら、この取り付け方法は、横材１０２の室内側壁１０２Ａとブラケット１１０の横材側片１１２との、ボルト１１４及びナット１１６による連結作業、特にボルト１１４の足部の横材側片１１２の挿通孔１１２ａに挿通、ならびにナット１１６締め作業に手間がかかるため、作業効率が悪い。
【０００５】
そこで、本発明の課題は、横材の取り付け作業を簡易化することができるカーテンウォールにおける横材の方立支持構造を提供することにある。
【０００６】
【課題を解決するための手段】
上記課題を解決した本発明は、次記のとおりである。
＜請求項１記載の発明＞
ノックダウン方式によるカーテンウォールの横材の方立支持構造であって、
前記方立と連結されるブラケットに、室外側へ突出するフック部を形成するとともに、
前記横材の室内側壁に、前記フック部と相対的に挿入係止関係を示す係止孔部を形成し、
前記フック部と前記係止孔部とは、前記ブラケットが方立と連結された状態で、前記横材を持ち込み、前記フック部が前記係止孔部内に相対的に挿入され、横材を水平方向に移動することにより、係止が行われる関係に構成したことを特徴とするカーテンウォールにおける横材の方立支持構造。
【０００７】
＜請求項２記載の発明＞
前記フック部は、室外側へ突出する部分と水平方向の延びる部分を有するフック形状をなしている請求項１記載のカーテンウォールにおける横材の方立支持構造。
【０００８】
＜請求項３記載の発明＞
ノックダウン方式によるカーテンウォールの横材の方立支持構造であって、
隣接する方立にそれぞれ連結されるブラケットは、室外側へ突出し水平方向の向いた鉤部を有するフック状のフック部が、その鉤部が同方向に向いてそれぞれ有し、
前記横材の室内側壁に、前記フック部と相対的に挿入係止関係を示す係止孔部をそれぞれ形成し、
前記フック部と前記係止孔とは、前記ブラケットが方立とそれぞれ連結された状態で、前記横材を持ち込み、前記フック部が前記係止孔部内に相対的に挿入され、横材を前記鉤部の向きと反対の水平方向に移動することにより、係止が行われる関係に構成したことを特徴とするカーテンウォールにおける横材の方立支持構造。
【０００９】
＜請求項４記載の発明＞
横材の室内側壁に、係止孔部の上下の側壁および裏面壁を有し、裏面側に突出する保持溝が形成され、この保持溝は、フック部の先端部の上下面を前記側壁により及びフック部の先端部の室外面を前記裏面壁により包んで保持するものである請求項１〜３のいずれか１項に記載のカーテンウォールにおける横材の方立支持構造。
【００１０】
【発明の実施の形態】
以下、本発明の実施の形態を説明する。
本実施の形態に係るカーテンウォールは、主に方立、横材及びパネルが備えられたものである。方立、横材及びパネルの配置関係は、図１で示した従来の形態のものと同様である。しかし、方立に対する横材の方立支持構造が異なる。
【００１１】
図５及び図６に本発明の横材の方立支持構造を示した。建物躯体（図示せず）に取り付けられた方立１に、ブラケット４を介して、横材２が取り付けられている。この横材２は、上下においてパネルＰ，Ｐを支持している。パネルＰは、下部においては横材２に設けられた押縁９との間で構成される溝内に差し込まれ、上部は横材２の呑込み溝内に差し込まれ、それぞれシール材１０，１０及びガスケット１１，１１により、気密性及び水密性が図られている。上下に隣接する横材２、２との間であって、方立１の前面には補助材１Ａがボルト１Ｂにより固定され、この補助材１Ａは水平方向に隣接するパネルＰ，Ｐの端部裏面を支承材１Ｃにより共通に支承している。１２は室内壁である。
【００１２】
ブラケット４は、図４に示すように、方立側片４Ａ及び横材側片４ＢによりＬ字状の本体部と、横材側片４Ｂの室外側壁４ａから突出し室外側へ突出し水平方向の向いた鉤部５ａを有するフック状のフック部５とを有する。本実施の形態では、フック部５の鉤部５ａが方形なっている。しかし、鉤部５ａの形状は、適宜変更することができる。
【００１３】
ブラケット４は、取り付け状態において上下方向となる方向に押し出し成形した後、所定長さの切断、ならびにフック部５形成のための切除により形成することができる。このようにして製造することにより、Ｌ字状部４（横材側片４Ｂ）とフック部５とは、強度が高い一体性を示すものとなる。
【００１４】
ブラケット４の方立１との連結は、図２及び図３で示した従来の形態と同じ構造になっている。すなわち、図５及び図６に示すように、方立１の両側面１ａ，１ａにそれぞれブラケット４の方立側片４Ａを当接させ、この状態において、方立１及び方立側片４Ａ，４Ａに、ボルト６を貫通させ、ナット７を締め、方立１と方立側片４Ａ，４Ａとを連結させる。この連結作業は、施工現場で行うこともできるが、作業の効率化という観点からは、工場等で予め行っておく方が好ましい。
【００１５】
他方、図５、図６及び図８の説明図に示すように、横材２は、その室内側壁２Ａ両端部に、ブラケット４のフック部５が差し込まれる係止孔部２Ｂ，２Ｂが設けられている。したがって、横材２の室内側壁２Ａを、ブラケット４の室外側壁４ａに当接させ、フック部５，５が係止孔部２Ｂ，２Ｂに差し込まれた状態において、横材２をフック部５，５の鉤部５ａが向いた方向と反対方向へ移動させると、フック部５，５と係止孔部２Ｂ，２Ｂとが係止される。これにより、横材２の、ブラケット４（方立１，１）からの室外方向への脱落が阻止される。
【００１６】
また、図５及び図６に示すように、ブラケット４の横材側片４Ｂ及び横材２の室内側壁２Ａに、これらを貫くように、室内側からタップねじ８を打ち込み、横材２の水平方向へのずれが完全に防止される。タップねじ８の打ち込みは、横材２の熱延びを考慮し片側のみとする。
【００１７】
先述したようにブラケット４のフック部５は、その鉤部５ａが水平方向に向かうが、この方向は、図７に示すように、横材２の一端部を係止するフック部５Ｌと、他端部を係止するフック部５Ｒとが同一の方向となるようにする。これにより、横材２の室内側壁２Ａ両端部を、それぞれブラケット４の室外側壁４ａに当接させ、フック部５Ｌ，５Ｒが係止孔部２Ｂ，２Ｂに差し込まれた状態とした後、横材２をフック部５Ｌ，５Ｒの鉤部５ａが向いた方向と反対方向（紙面左方向）へ移動させると、フック部５Ｌ，５Ｒと係止孔部２Ｂ，２Ｂとが室内外方向に離間しないように係止され、横材２の両端部とも係止されることになるので、横材２の取り付けを簡単に行うことができる。
【００１８】
図５及び図８に示すように、本実施の形態に従って、横材２の室内側壁２Ａに、係止孔部２Ｂの上下の側壁および裏面壁を有し、裏面側に突出する保持溝２Ｃを形成するのが望ましい。この保持溝２Ｃは、フック部５の先端部、実施の形態では鉤部５ａの上下面を側壁２Ｃ１，２Ｃ１により及び鉤部５ａの室外面を裏面壁２Ｃ２により包んで保持するものである。保持溝２Ｃの形成により、室内側壁２Ａ自体の強度向上効果の他、フック部５の係止状態の安定化効果も発揮する。なお、本実施の形態では、保持溝２Ｃの室外側壁を開口させることにより、横材２の押し出し成形性を高めることができる。保持溝２Ｃの室外側壁は閉鎖されている形態も請求項４記載の発明の範囲内である。
【００１９】
本実施の形態においは、係止孔部２Ｂ，２Ｂを方形としたが、フック部５，５と係止孔部２Ｂ，２Ｂとが係止する限りにおいて他の形状や形態も可能である。たとえば、図９に示すブラケット４０を用いることもできる。このブラケット４０は、方立側片４０Ａ及び横材側片４０ＢによりＬ字状の本体部と、横材側片４０Ｂの室外側壁４０ａから突出し室外側へ突出し先端部が円形鍔状に水平方向の向いた鍔部５０ａを有するフック状のフック部５０とを有する。これに対応して、横材２の室内側壁２Ａには、頭部２０ａが鍔部５０ａより大きく膨出し、基部２０ｂがフック部５０の軸部５０ｂの直径よりやや大きい幅を有する係止孔部２０Ｂを形成しておく。本例においては、相対的に鍔部５０ａが頭部２０ａ内に挿入された後、軸部５０ｂが基部２０ｂに沿って移動され、係止が行われる。
【００２０】
【発明の効果】
以上のとおり、本発明に係るカーテンウォールにおける横材の方立支持構造によれば、横材の取り付け作業を簡易化することができる。
【図面の簡単な説明】
【図１】従来の形態に係るカーテンウォールの正面図である。
【図２】図１のＩ―Ｉ線矢視図である。
【図３】図１のＩＩ−ＩＩ線矢視図である。
【図４】本実施の形態に係るブラケットを模式的に示した斜視図である。
【図５】本実施の形態に係る図１のＩ−Ｉ線相当部分の矢視図である。
【図６】本実施の形態に係る図１のＩＩ−ＩＩ線相当部分の矢視図である。
【図７】本実施の形態に係る横材の取付を説明するための図である。
【図８】本実施の形態に係る方立、横材及びブラケットを模式的に示した斜視図である。
【図９】他の実施の形態に係る方立、横材及びブラケットを模式的に示した斜視図である。
【符号の説明】
１…方立、１ａ…方立側面、２…横材、２Ａ…室内側壁、２Ｂ…係止孔部、２Ｃ…補強部、３…ブラケット、４…Ｌ字状部、４Ａ…方立側片、４Ｂ…横材側片、４ａ…室外側壁、５…フック部、６…ボルト、７…ナット、８…タップねじ、９…押縁、１０…シール材、１１…ガスケット、１２…内壁、１０１…方立、１０１ａ…側面、１０２…横材、１０２ａ…上側面、１０２ｂ…下側面、１０２Ａ…室内側壁、１１０…ブラケット、１１１…方立側片、１１２…横材側片、１１３，１１４…ボルト、１１５，１１６…ナット、Ｈ…ハッチング部分、Ｐ…パネル。
【図１】
0003800590.tif 000002
【図２】
0003800590.tif 000003
【図３】
0003800590.tif 000004
【図４】
0003800590.tif 000005
【図５】
0003800590.tif 000006
【図６】
0003800590.tif 000007
【図７】
0003800590.tif 000008
【図８】
0003800590.tif 000009
【図９】
0003800590.tif 000010